(57)【要約】      （修正有）【課題】装置自体の構造は単純としながらも、排気ガスの浄化性能を低下させることなく液体タンクからの液体の漏出を効果的に防止し得る排気ガス浄化装置を提供する。【解決手段】装置本体１２の下部に設けられる排気ガスの流入口１４と、流入口１４に連結され、流入口１４から装置本体１２内部へ排気ガスを導入する導入管１６と、導入管１６の上方に配置され、上板２４に複数の貫通孔２６を備える液体タンク２２と、液体タンク２２の上方に配置される除塵フィルタ３４と、装置本体１２の上部に設けられる排気ガスの排出口４０とにより構成する。さらに、液体タンク２２の周壁２８が上板２４より上方に突出した突出部３０を備え、且つ突出部３０の端縁３０ａが上板２４の周縁２５より内側に位置するように、突出部３０を傾斜及び／又は折曲させて排気ガス浄化装置とする。【選択図】図２
0003166543.tif 000002
【実用新案登録請求の範囲】
【請求項１】
装置本体の下部に設けられる排気ガスの流入口と、
該流入口に連結され、該流入口から前記装置本体内部へ排気ガスを導入する導入管と、
該導入管の上方に配置され、上板に複数の貫通孔を備える液体タンクと、
該液体タンクの上方に配置される除塵フィルタと、
前記装置本体の上部に設けられる排気ガスの排出口と、
を含んで成り、
前記液体タンクの周壁が前記上板より上方に突出した突出部を備え、且つ該突出部の端縁が前記上板の周縁より内側に位置するように、該突出部が傾斜及び／又は折曲されていることを特徴とする排気ガス浄化装置。
【請求項２】
前記液体タンクが複数の前記上板を備え、
上側に位置する前記上板が備える複数の貫通孔の形成位置と、下側に位置する前記上板が備える貫通孔の形成位置とが水平方向にずれていることを特徴とする請求項１に記載の排気ガス浄化装置。
【考案の詳細な説明】
【技術分野】
【０００１】
本考案は、内燃機関から排出される排気ガス中に含まれる粒子状物質（ＰＭ）等を除去する排気ガス浄化装置に関する。
【背景技術】
【０００２】
従来、ディーゼルエンジン等の内燃機関から排出される排気ガス中のＰＭ、窒素酸化物（ＮＯｘ）、硫黄酸化物（ＳＯｘ）等を除去するための浄化装置として、装置内に導入した排気ガスに、液体を加熱・気化させて接触させるものが開示されている（例えば、特許文献１又は特許文献２参照。）。特許文献１に開示された排気ガス浄化装置では、排気ガス中の大気汚染物質を低温の酸性液に接触させると共にアルカリ液に接触させて液中に溶解することによって、排気ガスを処理している。また、特許文献２に開示された排気ガス浄化装置は、湿式反応容器とサイクロン式集塵器を備え、サイクロン式集塵器にデュアルタイプのものを使用し、その２次集塵室の微細粉末を含むガスを湿式反応容器手前の排気ガスに戻して循環させることによって、排気ガスの浄化作用の向上を図っている。
【０００３】
更に、本願考案者においても、装置本体内に導入した排気ガスに、液体を加熱・気化させて接触させる態様の排気ガス浄化装置に関し、特に、液体を加熱・気化させるためのヒーターを液体タンク内に設けたものを先に開示している（特許文献３参照。）。当該構成とすることによって、装置本体内の液体を予め加熱・気化させておくことができるため、排気ガスの装置本体内への導入当初から浄化作用を十分に期待できる。
【先行技術文献】
【特許文献】
【０００４】
【特許文献１】特開２００６−７７６０３号公報
【特許文献２】特開２００７−２２４７９２号公報
【特許文献３】実用新案登録第３１１８６９８号公報
【考案の概要】
【考案が解決しようとする課題】
【０００５】
しかし、特許文献１及び特許文献２に開示された排気ガス浄化装置は、装置自体の構造が複雑であるため、定期的に行われる装置内部の清掃等といったメンテナンス作業に手間が掛かる。また、装置の製造コストも比較的高価となるため、初期導入費用の高コスト化を招く結果にもつながる。
【０００６】
更に、特許文献３に開示された排気ガス浄化装置は、装置本体の構造は比較的単純であるためメンテナンス作業の簡易化は図られるが、液体タンク内の液体が装置本体内に漏出するという問題がある。運送用トラックやバス等、舗装路を走行することが多い車両や据置型の内燃機関等であれば液体の漏出は殆ど問題とならない。しかし、悪路の走行や傾斜地での使用が多い土木・建設工事用の重機等においては、液体タンクの上板に設けられた貫通孔から液体が漏出し易く、装置内部が必要以上に汚れる、液体の消費量が過大となる、といった問題が生じる。
【０００７】
そこで本願考案者は、上記の問題点に鑑み、装置自体の構造は単純で、排気ガスの浄化性能を低下させることなく液体タンクからの液体の漏出を効果的に防止し得る排気ガス浄化装置を提供するべく鋭意検討を重ねた結果、本考案に至ったのである。
【課題を解決するための手段】
【０００８】
即ち、本考案の排気ガス浄化装置は、装置本体の下部に設けられる排気ガスの流入口と、該流入口に連結され、該流入口から前記装置本体内部へ排気ガスを導入する導入管と、該導入管の上方に配置され、上板に複数の貫通孔を備える液体タンクと、該液体タンクの上方に配置される除塵フィルタと、前記装置本体の上部に設けられる排気ガスの排出口とを含んで成り、前記液体タンクの周壁が前記上板より上方に突出した突出部を備え、且つ該突出部の端縁が前記上板の周縁より内側に位置するように、該突出部が傾斜及び／又は折曲されていることを最も主要な特徴とする。
【０００９】
また、本考案の排気ガス浄化装置において、前記液体タンクが複数の前記上板を備え、上側に位置する前記上板が備える複数の貫通孔の形成位置と、下側に位置する前記上板が備える貫通孔の形成位置とが水平方向にずれていることを特徴とする。
【考案の効果】
【００１０】
本考案の排気ガス浄化装置によると、装置本体内に配置される液体タンクの周壁が、液体タンクの上板より上方に突出した突出部を備え、且つこの突出部の端縁が上板の周縁より内側に位置するように、突出部が傾斜及び／又は折曲されているので、液体タンク内の液体が上板に形成された貫通孔から漏出した場合であっても、この突出部で周壁の外側への漏出は抑制することができる。従って、貫通孔から漏出した液体によって装置本体内部を必要以上に汚すこともなく、漏出による液体の消費量の抑制も図られる。
【００１１】
また、本考案の排気ガス浄化装置において、液体タンクの上板を複数枚で構成し、上側に位置する上板が備える複数の貫通孔の形成位置と、下側に位置する上板が備える貫通孔の形成位置とを水平方向にずらすことによって、液体タンクからの液体の漏出を更に抑制することができる。
【図面の簡単な説明】
【００１２】
【図１】本考案の一実施例を示した斜視図である。
【図２】図１における長手方向の縦断面図である。
【図３】図２におけるＡ−Ａ断面図である。
【考案を実施するための形態】
【００１３】
以下、本考案の排気ガス浄化装置の実施形態を、図面に基づいて説明する。
【実施例】
【００１４】
図１から図３に示す本考案の一実施例に係る排気ガス浄化装置１０は、略直方体形状を成す装置本体１２の下部に排気ガスの流入口１４が設けられており、排気ガス発生源（不図示）からの排気ガスが流入口１４から装置本体１２内へ流入することとなる。
【００１５】
そして、図２に示す長手方向中心部の縦断面図からも明らかなように、流入口１４には、この流入口１４から装置本体１２内へ排気ガスを導入するための導入管１６が連結されている。導入管１６は、装置本体１２の底板１８上、即ち装置本体１２内の最下部に配置されている。流入口１４の反対側に備える導入管１６の開口２０は、装置本体１２の中心部付近に位置しており、流入口１４から流入した排気ガスは、導入管１６を介して開口２０から装置本体１２内へ導かれることとなる。
【００１６】
導入管１６の上方には、液体タンク２２が配置されている。液体タンク２２は、少なくとも１以上の上板２４（本実施例では、上側に位置する上板２４ａと、下側に位置する上板２４ｂの計２枚）を備えており、この上板２４には複数の貫通孔２６が形成されている。
【００１７】
ここで、本実施例に係る液体タンク２２の周壁２８は、上板２４より上方に突出した突出部３０を備え、且つこの突出部３０の端縁３０ａが上板２４の周縁２５より内側に位置するように、突出部３０を傾斜及び／又は折曲させている。このように、突出部３０を上板２４の周縁２５より内側方向へ傾斜させる、突出部３０を折り曲げて端縁３０ａを上板２４の周縁２５より内側に位置させる、或いは突出部３０を上板２４の周縁２５より内側方向へ傾斜させた上で、更に端縁３０ａ付近を内側へ折り曲げる、といったことにより、液体タンク２２内の液体３２が貫通孔２６から漏出した場合であっても、この突出部３０で周壁２８の外側への漏出は抑制することができる。
【００１８】
また、本実施例に係る上板２４は、上側に位置する上板２４ａと、下側に位置する上板２４ｂの２枚の上板で構成されている。更に、上側に位置する上板２４ａが備える複数の貫通孔２６の形成位置と、下側に位置する上板２４ｂが備える貫通孔２６の形成位置とを水平方向に若干ずらしている。このように、上板２４を複数枚で構成し、且つ上下の上板がそれぞれ備える貫通孔２６の形成位置を水平方向に若干ずらすことによって、液体３２の貫通孔２６からの漏出を抑制することができる。
【００１９】
なお、液体タンク２２内の液体３２は水であってもよいが、樹液を混合した樹液混合液であることが好ましく、この樹液がヒノキオイルであることが特に好ましい。ヒノキオイル混合液を使用することによって、排気ガスからのＰＭ等の除去率を一層向上することができる。
【００２０】
液体タンク２２の上方には、除塵フィルタ３４が配置されている。除塵フィルタ３４は、複数の貫通孔２７を備える箱体３８内にステンレスフィルタ３６を収容して成る。
【００２１】
また、本実施例では、この除塵フィルタ３４とは別の除塵フィルタ３４ａも配置されている。除塵フィルタ３４ａの構成は除塵フィルタ３４と同様、複数の貫通孔２７を備える箱体３８内にステンレスフィルタ３６を収容して成る。この除塵フィルタ３４ａは、装置本体１２の上部に設けられる排気ガスの排出口４０を装置本体１２の内側で覆うように配置されている。
【００２２】
以上の構成から成る本実施例の排気ガス浄化装置１０によると、排気ガスは以下の流れで浄化される。まず、排気ガス発生源（不図示）からの排気ガスが流入口１４から装置本体１２内へ流入し、導入管１６を介して開口２０から装置本体１２内へ導かれる。この装置本体１２内へ導かれた排気ガスは、装置本体１２の側壁４２と液体タンク２２の周壁２８との間に形成されている隙間を通って、装置本体１２内を上方へと移動する（図３参照。）。一方、液体タンク２２内の液体３２は、例えば装置本体１２内に導入された排気ガスによって加熱・気化され、液体タンク２２の上板２４が備える貫通孔２６から装置本体１２内に導かれる。そして、排気ガスと加熱・気化された液体３２とを接触させることによって、排気ガス中に含まれるＰＭ等が除去され、更に除塵フィルタ３４、３４ａによって排気ガスが除塵された後、排出口４０から装置本体１２外へと排出されることとなる。
【００２３】
以上、本考案の一実施例に係る排気ガス浄化装置１０について詳述したが、本実施例では、液体タンク２２の周壁２８を上板２４より上方に突出させて突出部３０を設け、且つこの突出部３０の端縁３０ａが上板２４の周縁２５より内側に位置するように、突出部３０を傾斜及び／又は折曲させているので、液体タンク２２内の液体３２が貫通孔２６から漏出した場合であっても、この突出部３０で周壁２８の外側への漏出は抑制することができる。従って、本実施例に係る排気ガス浄化装置１０を、悪路の走行や傾斜地での使用が多い土木・建設工事用の重機等に適用した場合であっても、貫通孔２６から漏出した液体３２によって装置本体１２内を必要以上に汚すこともなく、漏出による液体３２の消費量の抑制も図られる。
【００２４】
また、本実施例に係る上板２４を上側に位置する上板２４ａと、下側に位置する上板２４ｂの２枚の上板で構成し、且つ上板２４ａが備える複数の貫通孔２６の形成位置と、上板２４ｂが備える貫通孔２６の形成位置とを水平方向に若干ずらすことによって、液体３２の貫通孔２６からの漏出を更に抑制することができる。
【００２５】
また更に、本実施例の排気ガス浄化装置１０は、装置の構造自体が比較的単純なため、装置本体１２内に導入される排気ガスの流れが良好で、排気ガス発生源の出力低下を招く恐れは殆どなく、装置本体１２内に導入された排気ガス温度を低下させて排出口４０から排出することも可能である。また、単純な装置構造であるため、装置本体１２内の清掃等も容易に行うことができ、メンテナンス作業の簡易化が図られる。
【００２６】
以上に例示した本考案の一実施例に係る排気ガス浄化装置１０は、本考案の技術的思想を実質的に限定するものと解してはならない。例えば、本実施例に係る除塵フィルタ３４、３４ａは、装置本体１２内や除塵フィルタ３４、３４ａ等の清掃作業の容易化を図るため着脱式としているが、必ずしも着脱式とする必要はなく、着脱方法も図示したような上方へ引き上げる態様に限定されるものではない。
【００２７】
また、液体タンク２２内には、排気ガス導入時に予め液体３２を加熱・気化させておくためのヒーターを設けておくことが好ましい。更には、液体タンク２２内にフロートを設けて液体３２の水位を管理し、液体３２の水位が低下した場合には、別途設けた補充用タンクから液体３２を補充できる構成とすることが好ましい。以上のように、本考案は、その要旨を逸脱しない範囲で、当業者の創意と工夫により、適宜に改良、変更又は追加をしながら実施できる。
【産業上の利用可能性】
【００２８】
本考案の排気ガス浄化装置は、土木・建設工事用の重機等への利用に限らず、一般的なディーゼルエンジン搭載車両や船舶、産業機械等にも利用可能である。
【符号の説明】
【００２９】
１０：排気ガス浄化装置
１２：装置本体
１４：流入口
１６：導入管
２０：開口
２２：液体タンク
２４、２４ａ、２４ｂ：上板
２６、２７：貫通孔
２８：周壁
３０：突出部
３０ａ：突出部の端縁
３２：液体
３４、３４ａ：除塵フィルタ
４０：排出口
【図１】
0003166543.tif 000003
【図２】
0003166543.tif 000004
【図３】
0003166543.tif 000005